(57)【要約】【課題】画像形成ジョブで指示されている仕分け処理が実行できない場合にも、その画像形成ジョブを適切に実行することができる、画像形成装置、画像形成システム、ジョブ実行方法およびプログラムを提供する。【解決手段】ユーザ端末４からＭＦＰ２に受信される画像形成ジョブは、サーバ３のメモリ１２に一旦蓄積された後、認証情報による認証成立を条件に実行される。画像形成ジョブの受信時点でＭＦＰ２にフィニッシャであるステープラ３３またはメールボックス３４が装着され、そのフィニッシャを使用する後処理の実行が画像形成ジョブで指示されていても、画像形成ジョブの実行が開始されるまでの蓄積期間に、フィニッシャがＭＦＰ２から取り外された場合には、フィニッシャを使用した後処理が実行できないので、その後処理に代えて代替処理が実行される。【選択図】図２
2020001190.tif 000002
【特許請求の範囲】
【請求項１】
外部装置と通信する通信部と、
シートに画像を形成する画像形成部と、
制御部と、を備え、
前記画像形成部により画像が形成された前記シートの仕分け処理を実行するための仕分け装置が装着可能な画像形成装置であって、
前記制御部は、
前記画像形成部により画像を前記シートに形成する画像形成ジョブであって、前記仕分け処理の実行が指定された画像形成ジョブを、前記外部装置から前記通信部を介して受信する受信処理と、
前記画像形成ジョブを蓄積部に蓄積する蓄積処理と、
前記蓄積処理後、前記蓄積部に蓄積されている前記画像形成ジョブに係る認証情報を受け付けたことに応じて、前記認証情報により認証成立するか否かを判断する認証処理と、
前記認証処理で認証成立すると判断したことを条件に、前記画像形成部を制御して、前記認証情報に係る前記画像形成ジョブを実行するジョブ実行処理と、
前記蓄積処理を実行してから前記ジョブ実行処理を実行するまでの蓄積期間に、前記画像形成ジョブで指定されている前記仕分け処理を実行するための前記仕分け装置が装着されているか否かを判断する装着判断処理と、を実行し、
前記装着判断処理で前記仕分け装置が装着されていないと判断した場合、前記ジョブ実行処理において、前記仕分け装置による前記仕分け処理に代えて代替処理を実行する、画像形成装置。
【請求項２】
請求項１に記載の画像形成装置であって、
前記制御部は、前記装着判断処理で前記仕分け装置が装着されていないと判断した場合に、前記仕分け装置が装着されていない旨の情報を、前記通信部を介して前記外部装置に送信する、画像形成装置。
【請求項３】
請求項１または２に記載の画像形成装置であって、
表示部、をさらに備え、
前記制御部は、前記装着判断処理で前記仕分け装置が装着されていないと判断した場合に、前記仕分け装置が装着されていない旨を前記表示部に表示する、画像形成装置。
【請求項４】
請求項３に記載の画像形成装置であって、
前記制御部は、前記装着判断処理で前記仕分け装置が装着されていないと判断した場合に、前記画像形成装置に装着されている代替装置による処理を前記代替処理として実行するか、前記画像形成ジョブにおける前記仕分け処理の実行の指定を解除する処理を前記代替処理として実行するか、および、前記画像形成ジョブの実行をキャンセルするかのいずれかを選択するための画面を前記表示部に表示する、画像形成装置。
【請求項５】
請求項４に記載の画像形成装置であって、
前記仕分け装置は、複数の排出トレイを備え、
前記仕分け装置による仕分け処理は、前記画像形成部により画像が形成された前記シートを前記複数の排出トレイに仕分けて排出するソート処理であり、
前記代替装置は、前記画像形成部により画像が形成された前記シートを綴じ針で綴じることにより複数に仕分けるステープル処理を実行する装置である、画像形成装置。
【請求項６】
請求項４に記載の画像形成装置であって、
前記仕分け装置は、複数の排出トレイを備え、
前記仕分け装置による前記仕分け処理は、前記画像形成部により画像が形成された前記シートを前記複数の排出トレイに仕分けて排出するソート処理であり、
前記代替装置は、前記画像形成部により画像が形成された前記シート間にセパレータを差し込むことにより前記画像が形成された前記シートを複数に仕分けるセパレート処理を実行する装置である、画像形成装置。
【請求項７】
請求項４に記載の画像形成装置であって、
前記仕分け装置による前記仕分け処理は、前記画像形成部により画像が形成された前記シートを綴じ針で綴じることにより複数に仕分けるステープル処理であり、
前記代替装置は、複数の排出トレイを備え、前記画像形成部により画像が形成された後の前記シートを前記複数の排出トレイに仕分けて排出するソート処理を実行する装置である、画像形成装置。
【請求項８】
請求項４に記載の画像形成装置であって、
前記仕分け装置による前記仕分け処理は、前記画像形成部により画像が形成された前記シートを綴じ針で綴じることにより複数に仕分けるステープル処理であり、
前記代替装置は、前記画像形成部により画像が形成されたシート間にセパレータを差し込むことにより前記画像が形成された前記シートを複数に仕分けるセパレート処理を実行する装置である、画像形成装置。
【請求項９】
請求項３〜８のいずれか一項に記載の画像形成装置であって、
前記制御部は、前記画像形成ジョブを受信してから前記装着判断処理を実行するまでの期間、前記画像形成ジョブで前記仕分け装置による前記仕分け処理の実行が指定されている旨を前記表示部に表示する、画像形成装置。
【請求項１０】
画像形成装置と、外部装置と、サーバとを含む画像形成システムであって、
前記画像形成装置は、
前記外部装置と通信する通信部と、
シートに画像を形成する画像形成部と、
を備え、
前記画像形成部により画像が形成された前記シートの仕分け処理を実行するための仕分け装置が装着可能な画像形成装置であり、
前記画像形成システムは、
制御部を備え、
前記制御部は、
前記画像形成部により画像を前記シートに形成する画像形成ジョブであって、前記仕分け処理の実行が指定された画像形成ジョブを、前記蓄積部に蓄積する蓄積処理と、
前記蓄積処理後、前記蓄積部に蓄積されている前記画像形成ジョブに係る認証情報により認証成立するか否かを判断する認証処理と、を実行し、
前記認証処理で認証成立すると判断されたことを条件に、前記画像形成部を制御して、前記認証情報に係る前記画像形成ジョブを実行するジョブ実行処理と、
前記蓄積処理の実行から前記ジョブ実行処理を実行するまでの蓄積期間に、前記画像形成ジョブで指定されている前記仕分け処理を実行する前記仕分け装置が装着されているか否かを判断する装着判断処理と、を実行し、
前記装着判断処理で前記仕分け装置が装着されていないと判断した場合、前記ジョブ実行処理において、前記仕分け装置による前記仕分け処理に代えて代替処理を実行する、画像形成システム。
【請求項１１】
画像形成装置と、外部装置と、サーバとを含む画像形成システムで実行されるジョブ実行方法であって、
前記画像形成装置は、
外部装置と通信する通信部と、
シートに画像を形成する画像形成部と、を備え、
前記画像形成部により画像が形成された前記シートの仕分け処理を実行する仕分け装置が装着可能な画像形成装置であり、
前記サーバは、蓄積部を備え、
前記画像形成部により画像を前記シートに形成する画像形成ジョブであって、前記仕分け処理の実行が指定された画像形成ジョブが、前記蓄積部に蓄積され、
前記画像形成ジョブの蓄積後、前記蓄積部に蓄積されている前記画像形成ジョブに係る認証情報により認証成立するか否かが判断され、
認証成立すると判断されたことを条件に、前記認証情報に係る前記画像形成ジョブが実行され、
前記画像形成ジョブの蓄積から前記画像形成ジョブの実行までの蓄積期間に、前記画像形成ジョブで指定されている前記仕分け処理を実行する前記仕分け装置が装着されているか否かが判断されて、
前記仕分け装置が装着されていないと判断された場合、前記画像形成ジョブの実行時に前記仕分け装置による前記仕分け処理に代えて代替処理が実行される、ジョブ実行方法。
【請求項１２】
外部装置と通信する通信部と、
シートに画像を形成する画像形成部とを備え、
前記画像形成部により画像が形成された前記シートの仕分け処理を実行する仕分け装置が装着可能な画像形成装置のコンピュータにインストールされるプログラムであって、
前記コンピュータに、
前記画像形成部により画像を前記シートに形成する画像形成ジョブであって、前記仕分け処理の実行が指定された画像形成ジョブを、前記外部装置から前記通信部を介して受信する受信処理と、
前記画像形成ジョブを蓄積部に蓄積する蓄積処理と、
前記蓄積処理後、前記蓄積部に蓄積されている前記画像形成ジョブに係る認証情報を受け付けたことに応じて、前記認証情報により認証成立するか否かを判断する認証処理と、
前記認証処理で認証成立すると判断したことを条件に、前記画像形成部を制御して、前記認証情報に係る前記画像形成ジョブを実行するジョブ実行処理と、
前記蓄積処理を実行してから前記ジョブ実行処理を実行するまでの蓄積期間に、前記画像形成ジョブで指定されている前記仕分け処理を実行する前記仕分け装置が装着されているか否かを判断する装着判断処理と、を実行させ、
前記装着判断処理で前記仕分け装置が装着されていないと判断した場合、前記ジョブ実行処理において、前記仕分け装置による前記仕分け処理に代えて代替処理を実行させる、プログラム。
【発明の詳細な説明】
【技術分野】
【０００１】
本発明は、プリンタなどの画像形成装置、画像形成装置を含む画像形成システム、画像形成装置で実行されるジョブ実行方法および画像形成装置のコンピュータにインストールされるプログラムに関する。
【背景技術】
【０００２】
従来、プリンタなどの画像形成装置には、蓄積画像形成機能を有するものがある（たとえば、特許文献１参照）。蓄積画像形成機能を有する画像形成装置では、ＰＣ（Personal Computer）などの外部装置からの画像形成に係る画像形成ジョブの受信後、その画像形成ジョブが即時に実行されず、画像データが画像形成装置のメモリまたは画像形成装置と通信可能に接続された管理サーバに蓄積される。その後、ユーザによるパスワード入力やカード認証などの認証動作が行われる。この認証が成立した場合、認証が成立した画像形成ジョブが実行される。すなわち、認証が成立した場合、メモリまたは管理サーバに蓄積されている画像データのうち、認証成立した画像データに係る画像がシートに形成される。
【０００３】
また、画像形成装置には、画像が形成されたシートを複数のトレイに仕分けて排出するソート処理や画像が形成された複数のシートを綴じ針で綴じるステープル処理などの仕分け処理を行う仕分け装置が装着されることがある（たとえば、特許文献２参照）。
【先行技術文献】
【特許文献】
【０００４】
【特許文献１】特開平８−２８６８４８号公報
【特許文献２】特開平４−１７７２６６号公報
【発明の概要】
【発明が解決しようとする課題】
【０００５】
蓄積画像形成機能を有する画像形成装置に仕分け装置が装着された構成では、仕分け処理の実行が指定された画像形成ジョブがメモリまたは管理サーバに蓄積されている期間に、仕分け装置が画像形成装置から取り外されたり、仕分け装置が別の仕分け装置に付け替えられたりする場合が考えられる。その場合、画像形成ジョブで指定されている仕分け処理が実行できないため、メモリまたは管理サーバに蓄積されている画像形成ジョブが適切に実行されない可能性がある。
【０００６】
本発明の目的は、画像形成ジョブで指示されている仕分け処理が実行できない場合にも、その画像形成ジョブを適切に実行することができる、画像形成装置、画像形成システム、ジョブ実行方法およびプログラムを提供することである。
【課題を解決するための手段】
【０００７】
前記の目的を達成するため、本発明の一の局面に係る画像形成装置は、外部装置と通信する通信部と、シートに画像を形成する画像形成部と、制御部と、を備え、前記画像形成部により画像が形成された前記シートの仕分け処理を実行するための仕分け装置が装着可能な画像形成装置であって、前記制御部は、前記画像形成部により画像を前記シートに形成する画像形成ジョブであって、前記仕分け処理の実行が指定された画像形成ジョブを、前記外部装置から前記通信部を介して受信する受信処理と、前記画像形成ジョブを蓄積部に蓄積する蓄積処理と、前記蓄積処理後、前記蓄積部に蓄積されている前記画像形成ジョブに係る認証情報を受け付けたことに応じて、前記認証情報により認証成立するか否かを判断する認証処理と、前記認証処理で認証成立すると判断したことを条件に、前記画像形成部を制御して、前記認証情報に係る前記画像形成ジョブを実行するジョブ実行処理と、前記蓄積処理を実行してから前記ジョブ実行処理を実行するまでの蓄積期間に、前記画像形成ジョブで指定されている前記仕分け処理を実行するための前記仕分け装置が装着されているか否かを判断する装着判断処理と、を実行し、前記装着判断処理で前記仕分け装置が装着されていないと判断した場合、前記ジョブ実行処理において、前記仕分け装置による前記仕分け処理に代えて代替処理を実行する。
【０００８】
この構成によれば、画像形成装置には、画像形成部により画像が形成されたシートの仕分け処理を実行する仕分け装置が装着可能である。外部装置から通信部を介して受信される画像形成ジョブは、蓄積部に一旦蓄積された後、認証情報による認証成立を条件に実行される。画像形成ジョブの受信時点で画像形成装置に仕分け装置が装着され、その仕分け装置による仕分け処理の実行が画像形成ジョブで指示されていても、画像形成ジョブの実行が開始されるまでの期間、つまり画像形成ジョブが蓄積部に蓄積されている蓄積期間に、仕分け装置が画像形成装置から取り外されたり、仕分け装置が別の仕分け装置に付け替えられたりする場合がある。この場合、画像形成ジョブの実行の際に、画像形成ジョブで指示されている仕分け処理が実行できないので、その仕分け処理に代えて代替処理が実行される。これにより、画像形成ジョブを適切に実行することができる。
【０００９】
なお、本発明は、画像形成装置の形態で実現できるだけでなく、たとえば、画像形成装置が含まれる画像形成システム、画像形成システムで実行されるジョブ実行方法、および画像形成装置のコンピュータにインストールされるプログラムの形態で実現することもできる。
【発明の効果】
【００１０】
本発明によれば、画像形成ジョブで指示されている仕分け処理が実行できない場合にも、その画像形成ジョブを適切に実行することができる。
【図面の簡単な説明】
【００１１】
【図１】本発明の一実施形態に係る画像形成システムの構成を示す図である。
【図２】画像形成システムに含まれるＭＦＰの電気的構成を示すブロック図である。
【図３】ＭＦＰで実行されるメインフローチャートである。
【図４】第１警告画面の一例を示す図である。
【図５】ジョブ制御処理の流れを示すフローチャートである。
【図６】第２警告画面の一例を示す図である。
【図７】代替設定制御処理の流れを示すフローチャートである。
【図８】フィニッシャ着脱処理の流れを示すフローチャートである。
【図９】第３警告画面の一例を示す図である。
【図１０】第４警告画面の一例を示す図である。
【図１１】第５警告画面の一例を示す図である。
【図１２】第６警告画面の一例を示す図である。
【発明を実施するための形態】
【００１２】
以下では、本発明の実施の形態について、添付図面を参照しつつ詳細に説明する。
【００１３】
＜システム構成＞
図１に示される画像形成システム１は、ＭＦＰ（Multi-Function Peripheral）２、サーバ３およびユーザ端末４を含む。
【００１４】
ＭＦＰ２（画像形成装置の一例）は、複数の機能を有している。複数の機能には、画像形成機能が含まれる。画像形成機能は、画像データをシートに画像形成する機能である。複数の機能には、画像形成機能以外に、たとえば、画像を読み取って画像データを生成する画像読取機能が含まれる。また、ＭＦＰ２は、ネットワーク対応機器であり、ＬＡＮ（Local Area Network）５に接続して使用される。ＬＡＮ５は、インターネット６に接続されている。
【００１５】
サーバ３は、たとえば、ＭＦＰ２のメーカにより提供されるサーバであり、インターネット上に置かれている。サーバ３は、ＣＰＵ（Central Processing Unit）１１およびメモリ１２を備えている。メモリ１２（蓄積部の一例）には、ＲＯＭ（Read Only Memory）およびＲＡＭ（Random Access Memory）が含まれる。ＲＯＭは、ハードディスクなどのデータ書換可能な不揮発性メモリである。ＲＯＭには、ＣＰＵ１１が実行するプログラムが記憶されている。また、ＲＯＭには、ＭＦＰ２で画像形成される画像データが記憶されて蓄積される。ＲＡＭは、ＣＰＵ１１がプログラムを実行する際のワークエリアとして使用される。
【００１６】
ユーザ端末４（外部装置の一例）は、ユーザにより操作されるＰＣ（Personal Computer）などの端末であり、ＭＦＰ２から見て外部装置となる。ユーザがユーザ端末４を操作することにより、ユーザ端末４からＬＡＮ５を経由してＭＦＰ２に、画像形成ジョブを送信することができる。画像形成ジョブは、ＭＦＰ２の画像形成機能により画像データをシートに画像形成するジョブである。
【００１７】
ＬＡＮ５は、有線ＬＡＮまたは無線ＬＡＮの一方であってもよいし、有線ＬＡＮと無線ＬＡＮとを組み合わせて構成されていてもよい。
【００１８】
＜ＭＦＰの電気的構成＞
ＭＦＰ２は、図２に示されるように、画像形成機能のための画像形成部２１と、画像読取機能のための画像読取部２２とを備えている。画像形成部２１は、ＭＦＰ２の外殻をなす筐体内の搬送経路を搬送されるシートに画像を形成する機構である。画像形成部２１による画像形成の方式は、電子写真方式であってもよいし、インクジェット方式であってもよい。また、シートに形成される画像は、カラー画像であってもよいし、モノクロ画像であってもよい。画像読取部２２は、原稿の画像を読み取って、その原稿の画像データを生成する機構である。画像読取部２２による画像読取の方式は、原稿を搬送しつつその原稿の画像を読み取るＡＤＦ（Auto Document Feeder）方式であってもよいし、コンタクトガラス上に載置された原稿の画像を読み取るＦＢ（Flat Bed）方式であってもよい。
【００１９】
ＭＦＰ２は、操作表示部２３（表示部の一例）を備えている。操作表示部２３は、タッチパネルであり、画像形成部２１および画像読取部２２を収容する筐体の外側からユーザが操作および視認可能なように、筐体の外側に臨んで配置されている。操作表示部２３には、各種の情報や操作キーなどの画像が表示される。ユーザが操作表示部２３に表示される操作キーを押操作（タッチ操作）することにより、その操作が操作表示部２３に受け付けられて、その操作の内容に応じた信号が操作表示部２３から出力される。
【００２０】
また、ＭＦＰ２は、ネットワーク通信部２４（通信部の一例）を備えている。ネットワーク通信部２４は、ＬＡＮ５を経由したネットワーク通信のための回路などを備えている。
【００２１】
ＭＦＰ２は、ＡＳＩＣ（Application Specific Integrated Circuit）２５、ＲＯＭ２６およびＲＡＭ２７をさらに備えている。ＡＳＩＣ２５は、ＣＰＵ２８（制御部の一例）を内蔵している。ＡＳＩＣ２５には、操作表示部２３から出力される信号などが入力される。ＣＰＵ２８は、ＡＳＩＣ２５に入力される信号などに基づいて、ＲＯＭ２６に記憶されているプログラムを実行することにより、画像形成部２１、画像読取部２２、操作表示部２３およびネットワーク通信部２４を含む各部を制御する。ＲＯＭ２６は、フラッシュメモリなどのデータ書換可能な不揮発性メモリである。ＲＡＭ２７は、ＤＲＡＭ（Dynamic Random Access Memory）などの揮発性メモリであり、ＣＰＵ２８がプログラムを実行する際のワークエリアとして使用される。
【００２２】
ＭＦＰ２には、セパレータトレイ３０（仕分け装置、代替装置の一例）が装着されている。セパレータトレイ３０は、ＭＦＰ２に標準で装着されている供給トレイに加えて、ＭＦＰ２にオプションで装着される。セパレータトレイ３０は、画像形成部２１により画像が形成されたシート間にシートとは異なる種類のシート状のセパレータを差し込むことによりそれらのシートを複数に仕分けるセパレート処理を実行する装置である。
【００２３】
セパレータトレイ３０は、給送機構３１およびセパレータトレイＩＣ（Integrated Circuit）３２を備えている。給送機構３１は、セパレータトレイ３０に支持されているセパレータをＭＦＰ２の筐体内の搬送経路に送り出す機構である。セパレータトレイＩＣ３２は、ＭＦＰ２のＡＳＩＣ２５と通信可能に接続されている。セパレータトレイＩＣ３２は、ＡＳＩＣ２５からの指令に従って、給送機構３１の動作を制御する。
【００２４】
また、ＭＦＰ２には、ステープラ３３（仕分け装置、代替装置の一例）およびメールボックス３４（仕分け装置、代替装置の一例）の一方が選択的にオプションで装着される。ステープラ３３は、画像形成部２１により画像が形成されたシートを２以上の所定枚数ごとに纏めて綴じ針で綴じることにより複数に仕分けるステープル処理を実行する装置である。メールボックス３４は、画像形成部２１により画像が形成されたシートを複数の排出先に仕分けて排出するソート処理を実行する装置である。ステープル処理およびソート処理は、いずれも画像形成部２１により画像が形成されたシートを取り扱う後処理である。したがって、ステープラ３３およびメールボックス３４は、いずれも後処理を実行するフィニッシャである。
【００２５】
ステープラ３３は、ステープル機構３５およびステープラＩＣ３６を備えている。ステープル機構３５は、シートを綴じ針で綴じる機構である。ステープラＩＣ３６は、ステープラ３３がＭＦＰ２に装着された状態でＭＦＰ２のＡＳＩＣ２５と通信可能に接続され、ＡＳＩＣ２５からの指令に従って、ステープル機構３５の動作を制御する。
【００２６】
メールボックス３４は、画像が形成されたシートの排出先としての複数の排出トレイ３７を備えている。また、メールボックス３４は、振分機構３８およびメールボックスＩＣ３９を備えている。振分機構３８は、シートの搬送方向を変更するフラッパなどを含む構成であり、ＭＦＰ２の筐体内の搬送経路を搬送されてくる画像形成済みのシートをＭＦＰ２に標準で備えられている排出トレイおよび複数の排出トレイ３７のいずれかに選択的に振り分ける機構である。メールボックスＩＣ３９は、メールボックス３４がＭＦＰ２に装着された状態でＭＦＰ２のＡＳＩＣ２５と通信可能に接続され、ＡＳＩＣ２５からの指令に従って、振分機構３８の動作を制御する。
【００２７】
＜メインフローチャート＞
ＭＦＰ２では、ＡＳＩＣ２５のＣＰＵ２８により、図３に示されるメインフローチャートが実行される。メインフローチャートは、ＭＦＰ２の電源がオンである間、繰り返し実行される。
【００２８】
メインフローチャートの実行により、ＣＰＵ２８は、画像形成ジョブを受信したか否かを判断する（Ｓ１）。画像形成ジョブは、ユーザがユーザ端末４を操作することにより、ユーザ端末４からＬＡＮ５を経由してＭＦＰ２に送信される。画像形成ジョブには、画像データのほか、画像形成ジョブを送信したユーザに割り当てられたユーザＩＤが含まれる。すなわち、ユーザは、ユーザＩＤを使用してユーザ端末４にログインし、ログイン状態で画像形成ジョブを送信する操作を行う。これにより、画像データとともにユーザＩＤを含む画像形成ジョブがユーザ端末４からＭＦＰ２に向けて送信される。
【００２９】
ＣＰＵ２８は、画像形成ジョブを受信したと判断した場合（Ｓ１：ＹＥＳ）、その受信した画像形成ジョブとともに、画像形成ジョブをメモリ１２に保存する保存指示をサーバ３に送信する。サーバ３が画像形成ジョブおよび保存指示を受信すると、サーバ３のＣＰＵ１１は、保存指示に従って画像形成ジョブをメモリ１２に保存する。これにより、画像形成ジョブがサーバ３のメモリ１２に蓄積される（Ｓ２）。
【００３０】
また、ＣＰＵ２８は、メモリ１２に蓄積された画像形成ジョブ（以下、「蓄積ジョブ」という。）でフィニッシャであるステープラ３３またはメールボックス３４の使用、つまりステープル処理またはソート処理の実行が設定されているか否かを判断する（Ｓ３）。
【００３１】
蓄積ジョブでフィニッシャの使用が設定されている場合（Ｓ３：ＹＥＳ）、ＣＰＵ２８は、その設定により使用されるフィニッシャ（以下、「設定フィニッシャ」という。）がＭＦＰ２に装着されているか否かをさらに判断する（Ｓ４）。ＭＦＰ２にステープラ３３が装着されている場合、ＣＰＵ２８は、ＡＳＩＣ２５とステープラ３３のステープラＩＣ３６との間での通信により、ＭＦＰ２にステープラ３３が装着されていると判別できる。また、ＭＦＰ２にメールボックス３４が装着されている場合、ＣＰＵ２８は、ＡＳＩＣ２５とメールボックス３４のメールボックスＩＣ３９との間での通信により、ＭＦＰ２にメールボックス３４が装着されていると判別できる。
【００３２】
設定フィニッシャがＭＦＰ２に装着されている場合（Ｓ４：ＹＥＳ）、ＣＰＵ２８は、操作表示部２３に第１警告画面を表示する（Ｓ５）。たとえば、蓄積ジョブがステープラ３３を使用する設定のステープラ設定ジョブであり、ステープラ３３がＭＦＰ２に装着されている場合、図４に示されるように、第１警告画面では、「ステープラ設定ジョブが蓄積されています。ステープラを外さないでください。」というメッセージが表示される。また、蓄積ジョブがメールボックス３４を使用する設定のメールボックス設定ジョブであり、メールボックス３４がＭＦＰ２に装着されている場合、第１警告画面では、「メールボックス設定ジョブが蓄積されています。メールボックスを外さないでください。」というメッセージが表示される。第１警告画面は、操作表示部２３に、蓄積ジョブが実行されるか、または、後述する第３警告画面、第４警告画面、第５警告画面もしくは第６警告画面が表示されるまで表示される。
【００３３】
第１警告画面の表示後、ＣＰＵ２８は、認証成立か否かを判断する（Ｓ６）。蓄積ジョブの実行に際しては、ユーザによる認証動作が必要となる。認証動作は、たとえば、操作表示部２３を操作して、ユーザＩＤおよびパスワードの認証情報を入力する動作であってもよいし、ＭＦＰ２にＮＦＣ（Near Field Communication）通信によりＩＣカードから情報を読み取るカードリーダが備えられている場合、カードリーダにユーザが所有するＩＣカードをかざす動作であってもよい。後者の場合、カードリーダにＩＣカードがかざされると、カードリーダによりＩＣカードからユーザＩＤおよびパスワードの認証情報が読み出される。ユーザによる認証動作が行われると、ＣＰＵ２８は、認証動作により取得される認証情報、つまりユーザＩＤおよびパスワードの組合せの正誤を判断する。そして、ユーザＩＤおよびパスワードの組合せが正しい場合、ＣＰＵ２８は、認証成立と判断する。ユーザＩＤおよびパスワードの組合せが誤っている場合、ＣＰＵ２８は、認証不成立と判断する。
【００３４】
また、ＣＰＵ２８は、画像形成ジョブを受信していないと判断した場合（Ｓ１：ＮＯ）、ステップＳ２〜Ｓ５をスキップして、認証動作により取得される認証情報により認証成立するか否かを判断する（Ｓ６）。蓄積ジョブでフィニッシャの使用が設定されていない場合（Ｓ３：ＮＯ）、または、設定フィニッシャがＭＦＰ２に装着されていない場合には（Ｓ４：ＮＯ）、ＣＰＵ２８は、第１警告画面を操作表示部２３に表示せずに（Ｓ５：スキップ）、認証動作により取得される認証情報により認証成立するか否かを判断する（Ｓ６）。
【００３５】
ＣＰＵ２８は、認証成立と判断した場合（Ｓ６：ＹＥＳ）、ジョブ制御処理を実行する（Ｓ７）。ジョブ制御処理の終了を以て、メインフローチャートが終了する。ジョブ制御処理については、次に述べる。一方、ＣＰＵ２８は、認証不成立と判断した場合（Ｓ６：ＮＯ）、画像形成ジョブを受信したか否かを再び判断する（Ｓ１）。
【００３６】
＜ジョブ制御処理＞
ジョブ制御処理の流れは、図５に示されている。ジョブ制御処理では、ＡＳＩＣ２５のＣＰＵ２８は、認証成立の判断に使用された認証情報に係る画像形成ジョブ、つまり認証成立の判断に使用されたユーザＩＤを含む蓄積ジョブ（以下、「実行対象ジョブ」という。）をサーバ３のメモリ１２から読み出す。そして、ＣＰＵ２８は、その実行対象ジョブでフィニッシャの使用が設定されているか否かを判断する（Ｓ７０１）。
【００３７】
ＣＰＵ２８は、実行対象ジョブでフィニッシャの使用が設定されていると判断した場合（Ｓ７０１：ＹＥＳ）、その設定により使用される設定フィニッシャがＭＦＰ２に装着されているか否かをさらに判断する（Ｓ７０２）。ＣＰＵ２８は、設定フィニッシャがＭＦＰ２に装着されていると判断した場合（Ｓ７０２：ＹＥＳ）、画像形成部２１などを制御して、実行対象ジョブを通常に実行する（Ｓ７０３）。このとき、実行対象ジョブの実行により、実行対象ジョブに含まれる画像データに係る画像がシートに形成され、画像が形成されたシートを取り扱う後処理、つまり実行対象ジョブで設定されているステープラ３３を使用するステープル処理またはメールボックス３４を使用するソート処理が実行される。そして、実行対象ジョブが完了すると（Ｓ７０４：ＹＥＳ）、ＣＰＵ２８は、ジョブ制御処理を終了する。
【００３８】
ＣＰＵ２８は、実行対象ジョブでフィニッシャの使用が設定されていないと判断した場合（Ｓ７０１：ＮＯ）、実行対象ジョブを通常に実行する（Ｓ７０５）。このとき、実行対象ジョブの実行により、実行対象ジョブに含まれる画像データに係る画像がシートに形成され、画像が形成されたシートを取り扱う後処理は実行されない。実行対象ジョブが完了すると（Ｓ７０４：ＹＥＳ）、ＣＰＵ２８は、ジョブ制御処理を終了する。
【００３９】
ＣＰＵ２８は、実行対象ジョブでフィニッシャの使用が設定されているが（Ｓ７０１：ＹＥＳ）、その設定により使用される設定フィニッシャがＭＦＰ２に装着されていないと判断した場合（Ｓ７０２：ＮＯ）、操作表示部２３に第２警告画面を表示する（Ｓ７０６）。たとえば、実行対象ジョブがステープラ３３を使用する設定のステープラ設定ジョブであり、ステープラ３３がＭＦＰ２に装着されていない場合、図６に示されるように、第２警告画面では、「ステープラ設定ジョブが実行されます。ステープラが装着されていません。どうしますか？」というメッセージとともに、代替指示キー４１、後処理なし指示キー４２およびキャンセル指示キー４３が表示される。また、実行対象ジョブがメールボックス３４を使用する設定のメールボックス設定ジョブであり、メールボックス３４がＭＦＰ２に装着されていない場合、第２警告画面では、「メールボックス設定ジョブが実行されます。メールボックスが装着されていません。どうしますか？」というメッセージとともに、代替指示キー４１、後処理なし指示キー４２およびキャンセル指示キー４３が表示される。
【００４０】
代替指示キー４１がタッチ操作されると、代替処理の実行の指示が操作表示部２３からＡＳＩＣ２５に入力される。後処理なし指示キー４２がタッチ操作されると、後処理の実行の設定が解除された実行対象ジョブの実行の指示が操作表示部２３からＡＳＩＣ２５に入力される。また、キャンセル指示キー４３がタッチ操作されると、実行対象ジョブの実行のキャンセルの指示が操作表示部２３からＡＳＩＣ２５に入力される。
【００４１】
代替指示キー４１、後処理なし指示キー４２およびキャンセル指示キー４３のいずれか１つがタッチ操作されると、ＣＰＵ２８は、代替処理の実行が指示されたか否かを判断する（Ｓ７０７）。ＣＰＵ２８は、代替処理の実行が指示されたと判断した場合（Ｓ７０７：ＹＥＳ）、代替設定制御を実行する（Ｓ７０８）。代替設定制御については、後述する。代替設定制御の終了後、実行対象ジョブが完了すると（Ｓ７０４：ＹＥＳ）、ＣＰＵ２８は、ジョブ制御処理を終了する。
【００４２】
ＣＰＵ２８は、代替処理の実行が指示されていないと判断した場合（Ｓ７０７：ＮＯ）、実行対象ジョブの実行のキャンセルが指示されたか否かを判断する（Ｓ７０９）。ＣＰＵ２８は、実行対象ジョブの実行のキャンセルが指示されていないと判断した場合（Ｓ７０９：ＮＯ）、実行対象ジョブにおける後処理の実行の設定を解除したうえで、実行対象ジョブを実行する（Ｓ７１０：後処理なし実行）。この実行対象ジョブの実行により、実行対象ジョブに含まれる画像データに係る画像がシートに形成されるが、画像が形成されたシートを取り扱う後処理は実行されない。実行対象ジョブが完了すると（Ｓ７０４：ＹＥＳ）、ＣＰＵ２８は、ジョブ制御処理を終了する。
【００４３】
ＣＰＵ２８は、実行対象ジョブの実行のキャンセルが指示されたと判断した場合（Ｓ７０９：ＹＥＳ）、実行対象ジョブの実行をキャンセルして（Ｓ７１１）、ジョブ制御処理を終了する。
【００４４】
＜代替設定制御処理＞
代替設定制御処理の流れは、図７に示されている。代替設定制御処理では、ＡＳＩＣ２５のＣＰＵ２８は、ＭＦＰ２にフィニッシャが装着されているか否かを判断する（Ｓ７８０１）。ＣＰＵ２８は、ＭＦＰ２にフィニッシャが装着されていると判断した場合（Ｓ７８０１：ＹＥＳ）、その装着されているフィニッシャがステープラ３３であるか否かを判断する（Ｓ７８０２）。ここで、ＣＰＵ２８がＭＦＰ２にステープラ３３が装着されていると判断する場合は、実行対象ジョブでメールボックス３４の使用が設定されているにもかかわらず、ＭＦＰ２にメールボックス３４が装着されていない場合である。
【００４５】
ＣＰＵ２８は、ＭＦＰ２にステープラ３３が装着されていると判断した場合（Ｓ７８０２：ＹＥＳ）、ステープラ３３が動作可能であるか否かを判断する（Ｓ７８０３）。たとえば、ステープラ３３に綴じ針がストックされていない場合、ＣＰＵ２８は、ステープラ３３が動作可能ではないと判断する。
【００４６】
ＣＰＵ２８は、ステープラ３３が動作可能であると判断した場合（Ｓ７８０３：ＹＥＳ）、実行対象ジョブで設定されているメールボックス３４を使用するソート処理をステープラ３３を使用するステープル処理で代替して、代替処理であるステープル処理の実行を実行対象ジョブに設定する（Ｓ７８０４）。そして、そのステープル処理（ステープラ３３の使用）が設定された実行対象ジョブを実行して（Ｓ７８０５：代替実行）、代替設定制御を終了する。この実行対象ジョブの実行により、画像形成部２１により画像が形成されたシートが所定枚数ごとに纏めて綴じ針で綴じられることにより、ソート処理が実行された場合と同様の態様で複数に仕分けられる。たとえば、ソート処理により、第１頁、第２頁および第３頁からなる画像形成済みのシートの組が３つのトレイの個々に１組ずつ振り分けて排出される場合、ステープル処理では、第１頁、第２頁および第３頁からなる画像形成済みのシートの組が纏めて綴じ針で綴じられ、綴じ針で綴じられた３組のシートがＭＦＰ２に標準で備えられている排出トレイに排出される。
【００４７】
ＣＰＵ２８は、ＭＦＰ２にフィニッシャが装着され、かつ、ステープラ３３が装着されていない場合（Ｓ７８０２：ＮＯ）、メールボックス３４が装着されているか否かを判断する（Ｓ７８０６）。
【００４８】
実行対象ジョブでメールボックス３４の使用が設定され、かつ、ＭＦＰ２にステープラ３３が装着されていない場合、ＭＦＰ２には、ステープラ３３およびメールボックス３４の両方が装着されていない。この場合、ＭＦＰ２には、たとえば、フィニッシャの一種であるオフセッタが装着されている。オフセッタは、画像形成部２１により画像が形成されたシートを所定枚数ごとにＭＦＰ２に標準の排出トレイ上に位置をずらして排出するオフセット処理を実行する装置である。
【００４９】
ＣＰＵ２８は、メールボックス３４がＭＦＰ２に装着されていないと判断した場合（Ｓ７８０６：ＮＯ）、セパレータトレイ３０がＭＦＰ２に装着されているか否かを判断する（Ｓ７８０７）。この実施形態では、ＭＦＰ２にセパレータトレイ３０が装着されているので、ＣＰＵ２８は、セパレータトレイ３０がＭＦＰ２に装着されていると判断する（Ｓ７８０７：ＹＥＳ）。そして、ＣＰＵ２８は、セパレータトレイ３０が動作可能であるか否かを判断する（Ｓ７８０８）。たとえば、セパレータトレイ３０にセパレータが収容されていない場合、ＣＰＵ２８は、セパレータトレイ３０が動作可能ではないと判断する。
【００５０】
ＣＰＵ２８は、セパレータトレイ３０が動作可能であると判断した場合（Ｓ７８０８：ＹＥＳ）、実行対象ジョブで設定されているメールボックス３４を使用するソート処理をセパレータトレイ３０を使用するセパレート処理で代替して、代替処理であるセパレート処理の実行を実行対象ジョブに設定する（Ｓ７８０９）。そして、そのセパレートル処理（セパレータトレイ３０の使用）が設定された実行対象ジョブを実行する（Ｓ７８０５：代替実行）。この実行対象ジョブの実行により、画像形成部２１により画像が形成された所定枚数のシートがＭＦＰ２に標準の排出トレイに排出されるごとに、セパレータトレイ３０から給送されるセパレータが排出トレイに排出されて、セパレータにより、ソート処理が実行された場合と同様の態様で排出トレイ上のシートが複数に仕分けられる。たとえば、ソート処理により、第１頁、第２頁および第３頁からなる画像形成済みのシートの組が３つのトレイの個々に１組ずつ振り分けて排出される場合、セパレート処理では、第１頁、第２頁および第３頁の画像形成済みのシートの組と別の組との間にセパレータが差し込まれる。
【００５１】
ＭＦＰ２にセパレータトレイ３０が装着されていない場合（Ｓ７８０７：ＮＯ）、または、ＭＦＰ２にセパレータトレイ３０が装着されているが、セパレータトレイ３０が動作可能ではない場合（Ｓ７８０８：ＮＯ）、ＣＰＵ２８は、実行対象ジョブにおける後処理の実行の設定を解除したうえで、実行対象ジョブを実行して（Ｓ７８１０：後処理なし実行）、代替設定制御を終了する。この実行対象ジョブの実行により、実行対象ジョブに含まれる画像データに係る画像がシートに形成されるが、画像が形成されたシートを取り扱う後処理は実行されない。
【００５２】
ＣＰＵ２８がＭＦＰ２にステープラ３３が装着されておらず、メールボックスが装着されていると判断する場合は、実行対象ジョブでステープラ３３の使用が設定されているにもかかわらず、ＭＦＰ２にステープラ３３が装着されていない場合である。
【００５３】
ＣＰＵ２８は、ＭＦＰ２にメールボックス３４が装着されていると判断した場合（Ｓ７８０６：ＹＥＳ）、メールボックス３４が動作可能であるか否かを判断する（Ｓ７８１１）。たとえば、メールボックス３４の排出トレイ３７にシートが残っている場合、ＣＰＵ２８は、メールボックス３４が動作可能ではないと判断する。
【００５４】
ＣＰＵ２８は、メールボックス３４が動作可能であると判断した場合（Ｓ７８１１：ＹＥＳ）、実行対象ジョブで設定されているステープラ３３を使用するステープル処理をメールボックス３４を使用するソート処理で代替して、代替処理であるソート処理の実行を実行対象ジョブに設定する（Ｓ７８１２）。そして、そのソート処理（メールボックス３４の使用）が設定された実行対象ジョブを実行して（Ｓ７８０５：代替実行）、代替設定制御を終了する。この実行対象ジョブの実行により、画像形成部２１により画像が形成されたシートは、所定枚数ごとにＭＦＰ２に標準の排出トレイおよび排出トレイ３７のいずれかに振り分けて排出され、ステープル処理が実行された場合と同様の態様で複数に仕分けられる。たとえば、ステープル処理により、第１頁、第２頁および第３頁からなる画像形成済みのシートの組が纏めて綴じ針で綴じられ、綴じ針で綴じられた３組のシートがＭＦＰ２に標準で備えられている排出トレイに排出される場合、ソート処理では、第１頁、第２頁および第３頁からなる画像形成済みのシートの組が３つのトレイの個々に１組ずつ振り分けて排出される。
【００５５】
＜フィニッシャ着脱処理＞
ＡＳＩＣ２５のＣＰＵ２８は、図３に示されるメインフローチャートの実行とは別に、図８に示されるフィニッシャ着脱処理を実行する。フィニッシャ着脱処理は、ＭＦＰ２の電源がオンである間、所定の周期（たとえば、３００ｍｓｅｃ）で繰り返し実行される。
【００５６】
フィニッシャ着脱処理では、ＣＰＵ２８は、ＭＦＰ２におけるフィニッシャの着脱状態を検知する（Ｓ１０１）。具体的には、ＣＰＵ２８は、ＡＳＩＣ２５とステープラ３３のステープラＩＣ３６との間での通信が可能である場合、ＭＦＰ２にステープラ３３が装着されていると判断し、それらの間での通信が不能である場合、ＭＦＰ２にはステープラ３３が装着されていないと判断する。また、ＣＰＵ２８は、ＡＳＩＣ２５とメールボックス３４のメールボックスＩＣ３９との間での通信が可能である場合、ＭＦＰ２にメールボックス３４が装着されていると判断し、それらの間での通信が不能である場合、ＭＦＰ２にはメールボックス３４が装着されていないと判断する。ＡＳＩＣ２５がステープラＩＣ３６およびメールボックスＩＣ３９の両方と通信不能である場合、ＣＰＵ２８は、ＭＦＰ２にフィニッシャが装着されていないと判断する。そして、ＣＰＵ２８は、その判断結果（検知結果）をＲＡＭ２７に記憶させる。
【００５７】
次いで、ＣＰＵ２８は、サーバ３のメモリ１２に、ステープラ３３の使用が設定された蓄積ジョブ（以下、「ステープラ設定ジョブ」という。）が蓄積されているか否かを判断する（Ｓ１０２）。ＣＰＵ２８は、ステープラ設定ジョブがメモリ１２に蓄積されていると判断した場合（Ｓ１０２：ＹＥＳ）、前回のフィニッシャ着脱処理の終了時点におけるフィニッシャの着脱状態と現在のフィニッシャの着脱状態とを比較して、ＭＦＰ２からステープラ３３が離脱されたか否かを判断する（Ｓ１０３）。ＣＰＵ２８は、ステープラ３３がＭＦＰ２から離脱されたと判断した場合（Ｓ１０３：ＹＥＳ）、操作表示部２３に第３警告画面を表示して（Ｓ１０４）、フィニッシャ着脱処理を終了する。第３警告画面では、図９に示されるように、「ステープラ設定ジョブが蓄積されています。ステープラが外されました。ステープラを外してもよいですか。」のメッセージとともに、ＯＫキー５１が表示される。ＯＫキー５１がタッチ操作されると、ＣＰＵ２８は、操作表示部２３から第３警告画面を消去する。
【００５８】
ステープラ設定ジョブがメモリ１２に蓄積されており、前回のフィニッシャ着脱処理の実行後にステープラ３３が離脱されておらず、かつ、ＭＦＰ２にメールボックス３４が装着されている場合（Ｓ１０５：ＹＥＳ）、ＣＰＵ２８は、操作表示部２３に第４警告画面を表示して（Ｓ１０６）、フィニッシャ着脱処理を終了する。第４警告画面では、図１０に示されるように、「ステープラ設定ジョブが蓄積されています。メールボックスが装着されています。ステープル処理が実行できません。」のメッセージとともに、ＯＫキー５１が表示される。ＯＫキー５１がタッチ操作されると、ＣＰＵ２８は、操作表示部２３から第４警告画面を消去する。
【００５９】
ステープラ設定ジョブがメモリ１２に蓄積されており、前回のフィニッシャ着脱処理の実行後にステープラ３３が離脱されておらず、かつ、ＭＦＰ２にメールボックス３４が装着されていない場合（Ｓ１０５：ＮＯ）、ＣＰＵ２８は、フィニッシャ着脱処理を終了する。
【００６０】
一方、ＣＰＵ２８は、ステープラ設定ジョブがメモリ１２に蓄積されていないと判断した場合（Ｓ１０２：ＮＯ）、サーバ３のメモリ１２に、メールボックス３４の使用が設定された蓄積ジョブ（以下、「メールボックス設定ジョブ」という。）が蓄積されているか否かを判断する（Ｓ１０７）。
【００６１】
ＣＰＵ２８は、メールボックス設定ジョブがメモリ１２に蓄積されていると判断した場合（Ｓ１０７：ＹＥＳ）、前回のフィニッシャ着脱処理の終了時点におけるフィニッシャの着脱状態と現在のフィニッシャの着脱状態とを比較して、ＭＦＰ２からメールボックス３４が離脱されたか否かを判断する（Ｓ１０８）。ＣＰＵ２８は、メールボックス３４がＭＦＰ２から離脱されたと判断した場合（Ｓ１０８：ＹＥＳ）、操作表示部２３に第５警告画面を表示して（Ｓ１０９）、フィニッシャ着脱処理を終了する。第５警告画面では、図１１に示されるように、「メールボックス設定ジョブが蓄積されています。メールボックスが外されました。メールボックスを外してもよいですか。」のメッセージとともに、ＯＫキー５１が表示される。ＯＫキー５１がタッチ操作されると、ＣＰＵ２８は、操作表示部２３から第５警告画面を消去する。
【００６２】
メールボックス設定ジョブがメモリ１２に蓄積されており、前回のフィニッシャ着脱処理の実行後にメールボックス３４が離脱されておらず、かつ、ＭＦＰ２にステープラ３３が装着されている場合（Ｓ１１０：ＹＥＳ）、ＣＰＵ２８は、操作表示部２３に第６警告画面を表示して（Ｓ１１１）、フィニッシャ着脱処理を終了する。第６警告画面では、図１２に示されるように、「メールボックス設定ジョブが蓄積されています。ステープラが装着されています。ソート処理が実行できません。」のメッセージとともに、ＯＫキー５１が表示される。ＯＫキー５１がタッチ操作されると、ＣＰＵ２８は、操作表示部２３から第６警告画面を消去する。
【００６３】
メールボックス設定ジョブがメモリ１２に蓄積されており、前回のフィニッシャ着脱処理の実行後にメールボックス３４が離脱されておらず、かつ、ＭＦＰ２にステープラ３３が装着されていない場合（Ｓ１１０：ＮＯ）、ＣＰＵ２８は、フィニッシャ着脱処理を終了する。
【００６４】
＜作用効果＞
以上のように、ＭＦＰ２には、画像形成部２１により画像が形成されたシートの仕分け処理を実行する仕分け装置が装着可能である。具体的には、ＭＦＰ２には、仕分け装置として、画像形成部２１により画像が形成されたシートの仕分け処理の一例であるセパレート処理を実行するセパレータトレイ３０、仕分け処理の他の一例であるステープル処理を実行するステープラ３３、および仕分け処理のさらに他の一例であるソート処理を実行するメールボックス３４が装着可能である。
【００６５】
ユーザ端末４からＭＦＰ２のネットワーク通信部２４を介してＡＳＩＣ２５に受信される画像形成ジョブは、サーバ３のメモリ１２に一旦蓄積された後、認証情報による認証成立を条件に実行される。画像形成ジョブの受信時点でＭＦＰ２にフィニッシャであるステープラ３３またはメールボックス３４が装着され、そのフィニッシャを使用する後処理の実行が画像形成ジョブで指示されていても、画像形成ジョブの実行が開始されるまでの期間、つまり画像形成ジョブがサーバ３のメモリ１２に蓄積されている蓄積期間に、フィニッシャがＭＦＰ２から取り外されたり、フィニッシャが別のフィニッシャに付け替えられたりする場合がある。この場合、画像形成ジョブの実行の際に、画像形成ジョブで指示されているフィニッシャを使用した後処理が実行できないので、その後処理に代えて代替処理が実行される。これにより、画像形成ジョブを適切に実行することができる。
【００６６】
蓄積ジョブがサーバ３のメモリ１２に蓄積されてから蓄積ジョブが実行されるまでの期間（蓄積期間）に、その実行される蓄積ジョブである実行対象ジョブで指定されているフィニッシャが装着されていない場合、フィニッシャがＭＦＰ２に装着されていないことをユーザに警告する第２警告画面が操作表示部２３に表示される。これにより、フィニッシャがＭＦＰ２に装着されていないことをユーザに認識させることができる。
【００６７】
なお、操作表示部２３における第２警告画面の表示に代えて、または、第２警告画面の表示に加えて、第２警告画面の内容を表すデータがＭＦＰ２からユーザ端末４に送信されて、ユーザ端末４のディスプレイに第２警告画面の内容が表示されてもよい。
【００６８】
また、第２警告画面には、代替処理の実行を指示するための代替指示キー４１、後処理の実行の設定が解除された実行対象ジョブの実行を指示するための後処理なし指示キー４２、および実行対象ジョブの実行のキャンセルを指示するためのキャンセル指示キー４３が表示される。これにより、ユーザは、代替指示キー４１、後処理なしキーおよびキャンセル指示キー４３の１つを選択的にタッチ操作することにより、代替処理の実行、後処理の実行の設定が解除された実行対象ジョブの実行、または実行対象ジョブの実行のキャンセルを任意に選択することができる。
【００６９】
なお、複数の代替処理を選択的に実行可能な場合には、代替指示キー４１がタッチ操作（押下）されると、複数の代替処理の中の何れかを選択させるためのダイアログが表示されて、そのダイアログで選択された代替処理が実行されてもよい。
【００７０】
ＭＦＰ２では、実行対象ジョブで画像形成部２１により画像が形成されたシートを複数の排出トレイ３７に仕分けて排出するソート処理の実行が設定されている場合、代替処理として、画像形成部２１により画像が形成されたシートを綴じ針で綴じることにより複数に仕分けるステープル処理を実行することができる。また、ステープル処理に限らず、画像形成部２１により画像が形成されたシート間にセパレータを差し込むことにより画像が形成されたシートを複数に仕分けるセパレート処理を実行することもできる。
【００７１】
また、ＭＦＰ２では、実行対象ジョブで画像形成部２１により画像が形成されたシートを綴じ針で綴じることにより複数に仕分けるステープル処理の実行が設定されている場合、代替処理として、画像形成部２１により画像が形成されたシートを複数の排出トレイ３７に仕分けて排出するソート処理を実行することもできる。また、ソート処理に限らず、画像形成部２１により画像が形成されたシート間にセパレータを差し込むことにより画像が形成されたシートを複数に仕分けるセパレート処理を実行することもできる。
【００７２】
ＭＦＰ２が受信した画像形成ジョブでフィニッシャの使用が設定され、そのフィニッシャがＭＦＰ２に装着されている場合には、画像形成ジョブでフィニッシャの使用が設定されている旨をユーザに報知する第１警告画面が操作表示部２３に表示される。これにより、ユーザにフィニッシャをＭＦＰ２から取り外さないように促すことができる。
【００７３】
＜変形例＞
以上、本発明の一実施形態について説明したが、本発明は、他の形態で実施することもできる。
【００７４】
たとえば、前述の実施形態では、ユーザ端末４からＭＦＰ２が画像形成ジョブを受信すると、その画像形成ジョブがＭＦＰ２からサーバ３に転送されて、サーバ３のメモリ１２に画像形成ジョブが蓄積されるとした。しかしながら、ユーザ端末４からＭＦＰ２が受信した画像形成ジョブは、ＭＦＰ２のＲＡＭ２７を蓄積部の一例として、そのＲＡＭ２７に蓄積されてもよい。
【００７５】
また、前述の実施形態では、ＣＰＵ２８が各処理を実行する場合について説明した。しかしながら、ＡＳＩＣ２５が複数のＣＰＵを備え、複数のＣＰＵが協働して各処理を実行してもよい。
【００７６】
画像形成装置の一例として、ＭＦＰ２を取り上げたが、画像形成装置は、プリンタ機能を単一の機能として有するプリンタであってもよい。
【００７７】
その他、前述の構成には、特許請求の範囲に記載された事項の範囲で種々の設計変更を施すことが可能である。
【符号の説明】
【００７８】
１：画像形成システム
２：ＭＦＰ
３：サーバ
４：ユーザ端末
１２：メモリ
２１：画像形成部
２３：操作表示部
２４：ネットワーク通信部
２７：ＲＡＭ
２８：ＣＰＵ
３０：セパレータトレイ
３３：ステープラ
３４：メールボックス
３７：排出トレイ
【図１】
2020001190.tif 000003
【図２】
2020001190.tif 000004
【図３】
2020001190.tif 000005
【図４】
2020001190.tif 000006
【図５】
2020001190.tif 000007
【図６】
2020001190.tif 000008
【図７】
2020001190.tif 000009
【図８】
2020001190.tif 000010
【図９】
2020001190.tif 000011
【図１０】
2020001190.tif 000012
【図１１】
2020001190.tif 000013
【図１２】
2020001190.tif 000014